(57)【特許請求の範囲】
【請求項１】
モニタを備えたインターホン装置において、
前記モニタ周辺の人物を撮影するカメラと、該カメラが撮影した映像に基づいて前記人物の視線位置を特定する映像処理手段と、前記視線位置に基づいて前記モニタの画面を調整するモニタ制御手段とを備え、
前記映像処理手段は、前記カメラの映像を縦方向および横方向に分割して複数エリアを設け、前記複数エリアに分割された前記カメラの映像から前記視線位置を含むエリアを特定することを特徴とするインターホン装置。
【請求項２】
前記モニタ制御手段は、前記モニタの画面の画質に関して予め設定された調整値を記憶する記憶部と、該記憶部から前記視線位置に応じた前記調整値を読み出して前記モニタの画質を調整する調整部とを含み、
前記記憶部が前記調整値を前記複数エリアに関連付けて記憶し、前記調整部が前記特定されたエリアに対応する前記調整値を前記記憶部から読み出して前記モニタの画質を調整する請求項１に記載のインターホン装置。
【請求項３】
請求項１または２に記載のインターホン装置を集合玄関機、管理室親機、居室親機のうち少なくとも一つに使用した集合住宅用インターホンシステム。
【請求項４】
請求項１または２に記載のインターホン装置を玄関子機、居室親機のうち少なくとも一つに使用した戸建用インターホンシステム。
【発明の詳細な説明】
【技術分野】
【０００１】
本発明は、モニタを備えたインターホン装置およびインターホンシステムであって、特に使用者の視線位置に合せてモニタの画質を自動的に調整する機能を備えたインターホン装置およびシステムに関する。
【背景技術】
【０００２】
インターホン装置のモニタに多用されているＬＣＤパネルには視野角があるため、斜め方向から見ると画質（明るさや色調等のバランス）が悪くなり、画面が見難くなってしまうという問題があった。このため、使用者は、何とかモニタを正面から見ようと、背伸びをし、身を屈め、あるいは、モニタの画質調整を手動で行ったりしていた。
【０００３】
従来、このような煩雑さを回避するため、使用者の身長に応じて自動的にモニタを上下方向に角度調整し、モニタをできるだけ正面から見られるようにしたインターホン装置が知られている（特許文献１）。
【０００４】
また、あらかじめ使用者毎に最適な画質調整値を登録しておき、使用者がモニタの確認をする際には、その使用者と関連づけられた調整値を読み出して、自動的に画質調整をする機能を備えたインターホン装置も知られている（特許文献２）。
【先行技術文献】
【特許文献】
【０００５】
【特許文献１】特開２００１−１５７１９４号公報
【特許文献２】特開２０１２−１３８８７２号公報
【発明の概要】
【発明が解決しようとする課題】
【０００６】
ところが、特許文献１のインターホン装置によると、使用者の身長を基準にモニタの傾斜を調整するため、上下方向の傾斜角度のみしか調整されない。左右中央からずれた位置に立つと、モニタを斜めに見ることになり、最適な画質でモニタを見られず、左右中央へ移動する必要があった。
【０００７】
また、特許文献２のインターホン装置によると、同じ使用者であっても、例えばモニタ中央に立って調整値を登録した場合、左右中央からずれた位置に立つと、モニタを斜めに見ることになり、最適な画質でモニタを見られず、この場合も、左右中央へ移動する必要があった。
【０００８】
そこで、本発明の目的は、使用者の視線位置に最適な画質で、訪問者の映像や文字情報等を確認できるインターホン装置およびシステムを提供することにある。
【課題を解決するための手段】
【０００９】
上記課題を解決するために、本発明は次のようなインターホン装置およびインターホンシステムを提供する。
（１）モニタを備えたインターホン装置において、モニタ周辺の人物を撮影するカメラと、該カメラが撮影した映像に基づいて人物の視線位置を特定する映像処理手段と、視線位置に基づいてモニタの画面を調整するモニタ制御手段とを備えたことを特徴とするインターホン装置。モニタ画面の調整には、例えば、ＬＣＤパネルの角度調整や画質調整などが含まれる。
【００１０】
（２）モニタ制御手段は、モニタ画面の画質に関して予め設定された調整値を記憶する記憶部と、該記憶部から視線位置に応じた調整値を読み出してモニタの画質を調整する調整部とを含むことを特徴とする上記１に記載のインターホン装置。画質に関する調整値としては、ＬＣＤパネルのバックライトの明るさ、画像の明るさ、コントラスト、色の濃さ、色合いなど、一つまたは複数種のパラメータを組み合わせた調整値を例示できる。
【００１１】
（３）映像処理手段は複数エリアに分割されたカメラの映像から視線位置を含むエリアを特定し、記憶部が調整値を複数エリアに関連付けて記憶し、調整部が視線位置を含むエリアに対応する調整値を記憶部から読み出してモニタの画質を調整することを特徴とする上記２に記載のインターホン装置。
【００１２】
（４）上記１〜３の何れか一つに記載のインターホン装置を集合玄関機、管理室親機、居室親機のうち少なくとも一つに使用したことを特徴とする集合住宅用インターホンシステム。
【００１３】
（５）上記１〜３の何れか一つに記載のインターホン装置を玄関子機、居室親機のうち少なくとも一つに使用したことを特徴とする戸建用インターホンシステム。
【発明の効果】
【００１４】
本発明のインターホン装置およびシステムによれば、モニタ周辺の人物を撮影し、その人物の視線位置を特定し、視線位置に合せてモニタの画面を調整するため、使用者はモニタの正面にいるときと同等の画質で来訪者の映像や文字情報等の確認をできるという優れた効果を奏する。
【図面の簡単な説明】
【００１５】
【図１】本発明の一実施形態を示すインターホンシステムのブロック図である。
【図２】図１の居室親機におけるモニタ調整システムを示すブロック図である。
【図３】居住者の視線位置とモニタ画面の調整値の対応関係を示す模式図である。
【図４】視線位置が右方に移動したときの調整値と調整結果を示す模式図である。
【図５】視線位置が左方に移動したときの調整値と調整結果を示す模式図である。
【図６】視線位置が上方に移動したときの調整値と調整結果を示す模式図である。
【発明を実施するための形態】
【００１６】
以下、本発明を戸建住宅用のインターホンシステムに具体化した一実施形態を図面に基づいて説明する。図１に示すように、この実施形態のインターホンシステム１は、玄関に設置された玄関子機２と、居室に設置された居室親機３と、両者の間に双方向の伝送路を形成する伝送線４とから構成されている。
【００１７】
玄関子機２には、玄関の周辺を撮影する子機カメラ１１、子機カメラ１１が撮影した映像情報を居室親機３への伝送情報に変換するための子機映像回路１２、居住者を呼び出すための呼出ボタン１３、居住者との通話に使用する子機マイク１４および子機スピーカ１５、音声信号の符号・復号を行う通話回路１６、居室親機３と通信する子機インターフェース１７、玄関子機２の各部を制御する子機ＣＰＵ１８が設けられている。
【００１８】
居室親機３には、子機カメラ１１が撮影した映像や文字情報等を表示するモニタ２１、モニタ２１周辺の居住者を撮影する親機カメラ３０、親機カメラ３０が撮影した映像の解析を行う画像処理エンジン３１、玄関子機２から受信した映像情報をモニタ２１の表示画像に変換するための親機映像回路２２、玄関子機２からの呼び出しに応答する通話ボタン２３、モニタ２１の調整値等を格納するＲＯＭ２４、来訪者との通話に使用する親機マイク２５および親機スピーカ２６、音声信号の符号・復号を行う通話回路２７、玄関子機２と通信する親機インターフェース２８、居室親機３の各部を制御する親機ＣＰＵ２９が設けられている。
【００１９】
図２に示すように、モニタ制御手段としての親機ＣＰＵ２９は、玄関子機２から出画信号を受信したときに親機カメラ３０を起動し、映像信号が親機カメラ３０から画像処理エンジン３１に送信される。映像処理手段としての画像処理エンジン３１は、画像解析回路（図示略）により親機カメラ３０の映像４２を所定数のエリア（１〜２５の番号で示す）に分割し、そのうちから居住者５１の視線位置が含まれるエリア（例えば、視線位置エリア１９）を特定する。そして、記憶部としてのＲＯＭ２４にモニタ２１の調整値が各エリアに関連付けて予め記憶され、親機ＣＰＵ２９が画像処理エンジン３１から受け取った視線位置エリアに対応する調整値をＲＯＭ２４から読み出してモニタ２１の画面を調整する。
【００２０】
次に、モニタ２１の画面を調整する方法について説明する。図３〜図６において、（Ａ）は調整前のモニタ画面４１を示し、（Ｂ）は映像４２中の居住者５１の視線位置を示し、（Ｃ）は視線位置エリアを示し、（Ｄ）は視線位置エリアに対応する調整値を示し、（Ｅ）は調整後のモニタ画面４１を示す。
【００２１】
図３に示すように、居住者５１がモニタ２１の正面に立ち、視線位置が映像４２のほぼ中央に位置する場合は、画像処理エンジン３１が「視線位置エリア１３」を特定し、親機ＣＰＵ２９が「視線位置エリア１３」に対応する「調整値１３」をＲＯＭ２４から読み出して、モニタ画面４１を調整する。このときは、「調整値１３」がモニタ２１の標準値と合致しているため、調整前後でモニタ画面４１の画質に変化はなく、居住者５１はどちらの画面４１からも来訪者５２の映像を明瞭に確認することができる。
【００２２】
図４に示すように、居住者５１がモニタ２１の右側に立ち、視線位置が映像４２の右下方に位置する場合は、画像処理エンジン３１が「視線位置エリア１９」を特定し、親機ＣＰＵ２９が「視線位置エリア１９」に対応する「調整値１９」をＲＯＭ２４から読み出して、モニタ画面４１の画質を調整する。このように調整すれば、居住者５１の視線位置に合せて画質が最適化されているため、居住者５１はモニタ正面にいるときと同等の画質で来訪者５２の映像を確認することができる。
【００２３】
図５に示すように、居住者５１がモニタ２１の左側に立ち、視線位置が映像４２の左下方に位置する場合は、画像処理エンジン３１が「視線位置エリア１７」を特定し、親機ＣＰＵ２９が「視線位置エリア１７」に対応する「調整値１７」をＲＯＭ２４から読み出して、モニタ画面４１の画質を調整する。したがって、この場合も、居住者５１は調整後のモニタ正面４１から来訪者５２の映像を明瞭に確認することができる。
【００２４】
図６に示すように、背の高い居住者５１がモニタ２１の左側に立ち、視線位置が映像４２の左上方に位置する場合は、画像処理エンジン３１が「視線位置エリア７」を特定し、親機ＣＰＵ２９が「視線位置エリア７」に対応する「調整値７」をＲＯＭ２４から読み出して、モニタ画面４１の画質を調整する。したがって、居住者５１の身長に関わりなく、モニタ画面４１の画質を最適化することができる。
【００２５】
なお、本発明は、上記実施形態に限定されるものではなく、以下に例示するように、発明の趣旨を逸脱しない範囲で、各部の構成を適宜変更して実施することも可能である。
（１）戸建住宅用インターホンシステムの玄関子機にカメラとモニタを設け、カメラが撮影した来訪者や玄関周辺の人物の映像からその人の視線位置を特定し、視線位置に基づいてモニタの画面を調整すること。
（２）集合住宅用インターホンシステムにおいて、集合玄関機、管理室親機、居室親機のうち少なくとも一つのインターホン装置にカメラとモニタを設け、戸建住宅用のインターホン装置と同様の制御により、集合住宅用インターホン装置のモニタの画面を調整すること。
（３）集合住宅用または戸建住宅用インターホン装置において、カメラが撮影した人物の視線位置に基づいて、モニタ（ＬＣＤパネル）の上下または左右方向の角度を見やすく調整すること。
【符号の説明】
【００２６】
１    インターホンシステム
２    玄関子機
３    居室親機
２１    モニタ
２４    ＲＯＭ
２９    親機ＣＰＵ
３０    親機カメラ
３１    画像処理エンジン
４１    モニタ画面
４２    映像
４４    視線位置情報
４５    調整値情報
５１    居住者
【図１】
0006537870.tif 000002
【図２】
0006537870.tif 000003
【図３】
0006537870.tif 000004
【図４】
0006537870.tif 000005
【図５】
0006537870.tif 000006
【図６】
0006537870.tif 000007